(57)【要約】【課題】遊技機において識別情報を適切に確認することができる遊技機を提供する。【解決手段】演算部４１ａは、記憶異常が発生したとき、または初期化操作が行われたときに、第１基板に割り当てられた識別情報を特定可能な識別コマンドを第２基板に送信する処理を実行する。演算部９１ａは、識別コマンドに基づいて、識別コマンドから特定可能な識別情報と、識別コマンドを受信した受信日時とを記憶部９１ｂに記憶させるとともに、液晶表示器５１に識別情報と受信日時とを表示させる。【選択図】図４
2018196494.tif 000002
【特許請求の範囲】
【請求項１】
遊技を行うことが可能な遊技機であって、
前記遊技機を制御する第１制御手段と、
前記第１制御手段から送信されるコマンドに基づいて前記遊技機を制御する第２制御手段とを備え、
前記第１制御手段は、所定条件が成立したときに、当該第１制御手段に割り当てられた識別情報を特定可能な識別コマンドを前記第２制御手段に送信可能であり、
前記第２制御手段は、
前記識別コマンドに基づいて、当該識別コマンドから特定可能な前記識別情報と、当該識別コマンドを受信した受信日時とを記憶可能であり、
報知条件が成立したときに、前記識別情報と前記受信日時とを特定可能な情報を報知する制御を行う、遊技機。
【発明の詳細な説明】
【技術分野】
【０００１】
本発明は、遊技を行うことが可能な遊技機に関する。
【背景技術】
【０００２】
遊技機として、所定の賭数を設定し、スタート操作が行われたことに基づいて、複数種類の識別情報の可変表示が行われるスロットマシンや、遊技球などの遊技媒体を発射装置によって遊技領域に発射し、該遊技領域に設けられている入賞口などの始動領域に遊技媒体が入賞したときに複数種類の識別情報の可変表示が行われるパチンコ遊技機などがある。
【０００３】
このような遊技機として、所定条件が成立すると、ＲＯＭコードなどの固有の識別情報をホールコンピュータなどの外部装置に出力するものがあった（たとえば、特許文献１）。
【先行技術文献】
【特許文献】
【０００４】
【特許文献１】特開２０１２−００５５４４号公報
【発明の概要】
【発明が解決しようとする課題】
【０００５】
特許文献１の遊技機は、外部装置においては識別情報を確認することができたが、遊技機においては識別情報を確認することができなかった。
【０００６】
この発明は、かかる実情に鑑み考え出されたものであり、その目的は、遊技機において識別情報を適切に確認することができる遊技機を提供することである。
【課題を解決するための手段】
【０００７】
（１）  遊技を行うことが可能な遊技機（たとえば、スロットマシン、パチンコ遊技機）であって、
前記遊技機を制御する第１制御手段（たとえば、第１基板４０）と、
前記第１制御手段から送信されるコマンド（たとえば、識別コマンド）に基づいて前記遊技機を制御する第２制御手段（たとえば、第１基板４０）とを備え、
前記第１制御手段は、所定条件（たとえば、図２に示す記憶異常発生（Ｓａ１でＹＥＳ）、初期化操作（Ｓａ４でＹＥＳ））が成立したときに、当該第１制御手段に割り当てられた識別情報を特定可能な識別コマンドを前記第２制御手段に送信可能であり（たとえば、図２に示すように、記憶異常が発生したとき（Ｓａ１でＹＥＳ）に識別コマンドを第２基板に送信する（Ｓａ２）、初期化操作が行われたとき（Ｓａ４でＹＥＳ）に識別コマンドを第２基板に送信する（Ｓａ６））、
前記第２制御手段は、
前記識別コマンドに基づいて、当該識別コマンドから特定可能な前記識別情報と、当該識別コマンドを受信した受信日時とを記憶可能であり（たとえば、図１に示すように、識別情報と受信日時を記憶部９１ｂに記憶する）、
報知条件が成立したとき（たとえば、図３（Ｂ）に示すＳｃ１でＹＥＳのとき）に、前記識別情報と前記受信日時とを特定可能な情報を報知する制御を行う（たとえば、図３（Ｂ）に示すＳｃ２、図４に示すように、液晶表示器５１に「識別情報受信（ＡＢＣ）」と「２０１７／５／１  ２０：００」とを表示させる処理を行う）。
【０００８】
（２）  上記（１）の遊技機において、
前記識別情報は、前記第１制御手段に含まれる演算部（たとえば、図１に示す演算部４１ａ）に割り当てられた当該演算部固有の情報である。
【０００９】
（３）  上記（１）または（２）の遊技機において、
前記所定条件は、前記第１制御手段により所定情報（たとえば、記憶部４１ｂに記憶された情報）が正常にバックアップされていないときに成立する（たとえば、図２に示すように、記憶部９１ｂにおいて記憶異常が発生したとき（Ｓａ１でＹＥＳ）に成立する）。
【００１０】
（４）  上記（１）〜（３）のいずれかの遊技機において、
前記第２制御手段は、
特定事象（たとえば、初期化操作）が発生した旨の発生情報と、当該特定事象が発生した発生日時とを記憶可能であり（たとえば、記憶部９１ｂに初期化操作が行われた旨の情報と発生日時とを記憶する）、
前記識別情報と前記受信日時とを特定可能な情報に併せて、前記発生情報と前記発生日時とを特定可能な情報を報知するための画像を表示する制御を行う（たとえば、図３（Ｂ）に示すＳｃ２、図４に示すように、液晶表示器５１に「識別情報受信（ＡＢＣ）」と「２０１７／５／１  ２０：００」とを表示させる処理を行うとともに、液晶表示器５１に「初期化操作」と「２０１７／５／１  ２０：０１」とを表示させる処理を行う）。
【００１１】
（５）  上記（４）の遊技機において、
前記第２制御手段は、前記発生情報と前記発生日時とを特定可能な情報と、前記識別情報と前記受信日時とを特定可能な情報とが区別可能な画像を表示する制御を行う（たとえば、図４に示すように、「識別情報受信（ＡＢＣ）」および「２０１７／５／１  ２０：００」の表示は背景色が灰色であるため、「初期化操作」および「２０１７／５／１  ２０：０１」の表示と区別可能である）。
【００１２】
（６）  上記（１）〜（５）のいずれかの遊技機において、
前記第１制御手段は、
電源投入時に初期化手段（たとえば、初期化スイッチ３７）が操作されていることを条件に初期化処理を実行し（初期化スイッチ３７をｏｎ状態（初期化操作が行われた状態）にして電源を投入すると、初期化処理が行われる）、
電源投入時に所定情報（たとえば、記憶部４１ｂに記憶された情報）の記憶に関する異常（たとえば、記憶異常）が発生していることを検出した場合、前記初期化手段が操作されていても前記初期化処理を実行しない（たとえば、図２に示すように、Ｓａ４で初期化操作が行われたか否かを判定する前にＳａ１で記憶異常が発生していれば（Ｓａ１でＹＥＳ）、Ｓａ５の初期化処理が行われない）。
【図面の簡単な説明】
【００１３】
【図１】本実施形態に係る遊技機１の主な内部構成の一例を示す図である。
【図２】第１基板４０が実行する起動処理の制御内容を示すフローチャートである。
【図３】第２基板９０が実行する記憶処理および表示処理の制御内容を示すフローチャートである。
【図４】識別情報などが表示された画面を示す図である。
【発明を実施するための形態】
【００１４】
本発明に係る遊技機１を実施するための形態を実施例に基づいて以下に説明する。
［遊技機１の主な内部構成］
図１は、本実施形態に係る遊技機１の主な内部構成の一例を示す図である。図１に示すように、遊技機１には、遊技の進行を制御する第１基板４０、所定の演出を制御する第２基板９０、および電気部品の駆動電源を生成する電源基板１０１が設けられている。
【００１５】
第１基板４０には、記憶部４１ｂおよび演算部４１ａが搭載されている。演算部４１ａは、遊技の進行に関する処理を行うとともに、第１基板４０に接続された遊技部品の制御を行う。
【００１６】
また、第１基板４０には、ＲＴＣ（リアルタイムクロック）（図示なし）が設けられている。ＲＴＣは、現在時刻を計時し、出力するものである。演算部４１ａは、ＲＴＣが出力する日時情報を取得し、取得した日時情報に基づいて各種処理を実行する。たとえば、後述する初期化操作が行われたときには、演算部４１ａは、ＲＴＣが出力する日時情報に基づき、初期化操作が行われた日時を生成する処理を行う。たとえば、後述する初期化操作が行われたときには、演算部４１ａは、ＲＴＣが出力する日時情報に基づき、初期化操作が行われた日時を生成する処理を行う。
【００１７】
記憶部４１ｂは、バックアップ用電源に接続されている。このため、電断が発生したとしても記憶部４１ｂの記憶情報が消去されることなく、電断中においても記憶部４１ｂに記憶された所定情報はバックアップされる。所定情報には、遊技機の制御状態を復旧させるための情報が含まれる。所定情報には、識別情報および受信日時が含まれる。したがって、電断が発生したとしても、識別情報および識別情報の受信日時はバックアップされているため、その情報は保持される。また、初期化操作が行われた旨の情報と初期化操作が行われた日時についても所定情報に含まれ、同様にバックアップされる。
【００１８】
電源基板１０１には、記憶部４１ｂの初期化を行うための初期化スイッチ３７、および遊技機１の電源をｏｎ／ｏｆｆする際に操作される電源スイッチ３９が接続されている。第１基板４０には、電源基板１０１を介して初期化スイッチ３７および電源スイッチ３９などのスイッチ類の検出信号が入力されるようになっている。
【００１９】
第２基板９０には、記憶部９１ｂおよび演算部９１ａが搭載されている。演算部９１ａは、演出を行うための各種の制御を行うとともに、第２基板９０に接続された液晶表示器５１などの遊技部品の制御を行う。
【００２０】
また、第２基板９０には、ＲＴＣ（図示なし）が設けられている。演算部９１ａは、ＲＴＣが出力する現在の日時情報を取得し、取得した日時情報に基づいて各種処理を実行する。たとえば、後述する識別情報が受信されたときには、演算部９１ａは、ＲＴＣが出力する日時情報に基づき、識別情報の受信日時を生成する処理を行う。なお、図１は、あくまで一例であり、遊技機１の内部にはその他の構成も設けられている。
【００２１】
［コマンド］
第１基板４０に搭載された演算部４１ａは、遊技の進行に応じて各種コマンドを送信する処理を行う。第２基板９０に搭載された演算部９１ａは、第１基板４０から送信されたコマンドの制御情報に基づいて演出の制御を行う。
【００２２】
第１基板４０から送信されるコマンドには、初期化操作コマンドがある。初期化操作コマンドとは、初期化操作が行われたことを特定可能なコマンドである。また、初期化操作コマンドは、初期化操作が行われた際に送信される。
【００２３】
ここで、初期化操作とは、初期化スイッチ３７をｏｎ状態にする操作を言う。初期化スイッチ３７をｏｎ状態にした状態で遊技機１の電源を投入すると、第１基板の起動処理において初期化処理が実行される。初期化処理とは、記憶部４１ｂの所定領域に格納された情報が消去されることを言う。
【００２４】
演算部９１ａは、初期化操作コマンドを受信した場合には、記憶部９１ｂに初期化操作が行われた旨の情報と、発生日時を記憶させる処理を行う。また、初期化操作が行われた旨の情報と発生日時は、液晶表示器５１に表示可能である。
【００２５】
また、第１基板４０から送信されるコマンドには、識別コマンドがある。識別コマンドとは、第１基板に割り当てられた識別情報を特定可能なコマンドである。具体的には、識別情報は、第１基板４０に取り付けられた演算部４１ａおいて、演算部４１ａに割り当てられている固有の情報である。識別情報は、記憶部４１ｂに格納されている。たとえば、演算部４１ａの識別情報として、識別情報「ＡＢＣ」が割り当てられている。
【００２６】
不正な手段によって、演算部４１ａが交換された場合や、第１基板４０自体が交換された場合は、識別情報が変わることになる。なお、識別情報は、演算部４１ａに割り当てられたものに限らず、第１基板４０に割り当てられたものであってもよい。また、識別情報は、記憶部４１ｂに格納されるものに限らず、第１基板４０に搭載される別の記憶部に格納されるものであってもよい。
【００２７】
演算部４１ａは、記憶部４１ｂに記憶異常が発生したとき、または、初期化操作がされたときに、識別コマンドを第２基板に送信する処理を行う。なお、記憶部４１ｂの記憶異常については後述する。
【００２８】
演算部９１ａは、識別コマンドに基づいて、識別コマンドから特定可能な識別情報と、識別コマンドを受信した受信日時とを記憶部９１ｂに記憶させる処理を行う。
【００２９】
演算部９１ａは、表示条件が成立すると、液晶表示器５１に識別情報と受信日時とを特定可能な情報が表示させる。たとえば、液晶表示器５１に「識別情報受信（ＡＢＣ）」と「２０１７／５／１  ２０：００」とが表示される。
【００３０】
表示条件は、たとえば、遊技機１に設置された操作手段を操作されることによって成立するものであってもよい。また、遊技店の店員のみが確認可能な位置に設置されている７セグメント表示器に表示させるようにしてもよい。たとえば、遊技機１の扉を開いた筐体の内部に７セグメント表示器を設置する。このようにして表示を行う場合は、表示条件は常に成立するようにしてもよい。つまり、識別情報などは常に７セグメント表示器に表示されるようになる。
【００３１】
［記憶異常］
記憶部４１ｂの記憶異常（以下、単に記憶異常とも称する）は、第１基板の記憶部４１ｂに情報が正常に記憶されていないときに発生する。
【００３２】
たとえば、なんらかの不具合により記憶部４１ｂの記憶情報が破壊されているか、記憶情報が消去された場合において、記憶部４１ｂの記憶異常は発生する。
【００３３】
また、記憶部４１ｂは、バックアップ用電源に接続されているため、電断が発生したとしても記憶部４１ｂの記憶情報が消去されることがない。ただし、バックアップ用電源から電力が供給されなくなったような不具合が発生した場合は、記憶情報が消去されるため、記憶部４１ｂの記憶異常が発生する。
【００３４】
また、工場出荷時においては、記憶部４１ｂに情報が記憶されていない。たとえば、工場から出荷されて遊技店に遊技機が設置され、初めて電源を起動した場合には、記憶部４１ｂに情報が記憶されていないため、記憶部４１ｂの記憶異常が発生することになる。
【００３５】
［第１基板４０の起動処理］
図２は、第１基板４０に搭載された演算部４１ａが実行する起動処理の制御内容を示すフローチャートである。
【００３６】
演算部４１ａは、記憶異常が発生しているか否かを判断する（Ｓａ１）。演算部４１ａは、記憶異常が発生していると判断した場合（Ｓａ１でＹＥＳ）、Ｓａ２のステップに進む。
【００３７】
演算部４１ａは、Ｓａ２のステップにおいて、識別コマンド送信処理を実行する（Ｓａ２）。識別コマンド送信処理において、演算部４１ａは、第１基板に割り当てられた識別情報を特定可能な識別コマンドを送信するための処理を行う。
【００３８】
次に、演算部４１ａは、異常処理を実行する（Ｓａ３）。演算部４１ａは、異常処理において、記憶異常が発生している旨のエラーコードを生成する。そして、演算部４１ａは、エラーコードに基づき遊技の進行が不能化される異常状態に制御するとともに、表示機器にエラー状態を報知させる処理を行う。また、演算部４１ａは、記憶異常を報知した旨を示す記憶異常報知フラグをＯＮにする。
【００３９】
一方、演算部４１ａは、記憶異常が発生していないと判断した場合（Ｓａ１でＮＯ）、初期化操作がされたか否かを判断する（Ｓａ４）。
【００４０】
演算部４１ａは、初期化操作がされたと判断した場合（Ｓａ４でＹＥＳ）、初期化処理を実行する（Ｓａ５）。初期化処理において、記憶部４１ｂに記憶された所定領域の情報が初期化される。
【００４１】
次に、演算部４１ａは、識別コマンド送信処理を実行する（Ｓａ６）。識別コマンド送信処理において、演算部４１ａは、演算部４１ａの識別情報を特定可能な識別コマンドを送信するための処理を行う。
【００４２】
次に、演算部４１ａは、初期化操作コマンド送信処理を実行する（Ｓａ７）。初期化操作コマンド送信処理において、演算部４１ａは、初期化操作が行われたことが特定可能な情報を識別コマンドとして送信するための処理を行う。Ｓａ７のステップの実行後、演算部４１ａは、Ｓａ８のステップに進む。
【００４３】
一方、演算部４１ａは、Ｓａ４のステップにおいて、初期化操作がされていないと判断した場合（Ｓａ５でＮＯ）、Ｓａ８のステップに進む。Ｓａ８のステップにおいて、演算部４１ａは、遊技の進行を制御する遊技制御処理を実行する。
【００４４】
このように、演算部４１ａは、記憶異常が発生しているときは、初期化処理を実行することなく、異常状態を報知させる異常処理を行う。また、演算部４１ａは、初期化操作が行われているときは、初期化処理を実行可能である。ただし、演算部４１ａは、初期化操作が行われていたとしても、記憶異常が発生しているときは、初期化処理を実行することなく、異常状態を報知させる異常処理を行う。
【００４５】
なお、記憶異常が発生し（Ｓａ１でＹＥＳ）、異常処理（Ｓａ３）により異常状態の報知が行なわれた後に遊技機１の電源を切り、初期化操作が行われた状態で再度電源を投入した場合は、次の処理を行う。
【００４６】
たとえば、演算部４１ａは、図２の起動処理において、異常処理が行われた旨を示す記憶異常報知フラグをセットする。演算部４１ａは、再度の電源投入時に実行する起動処理において、記憶異常報知フラグがＯＮであった場合には、記憶異常が発生していたとしてもＳａ２，Ｓａ３の処理を実行することなく、Ｓａ４のステップに進む。そして、演算部４１ａは、初期化操作が行われた状態であるため、Ｓａ４でＹＥＳと判断し、初期化処理を実行する（Ｓａ５）。このように、初期化操作が行われた状態で電源を投入した場合、最初の起動時には異常報知が行なわれる一方で、再度初期化操作が行われた状態で電源を投入した場合には初期化処理が行われる。なお、演算部４１ａは、初期化処理（Ｓａ５）により記憶異常が解消されている場合は、遊技制御処理（Ｓａ８）を実行する。一方、再度の電源投入時に実行する起動処理において、記憶異常が発生しているにも関わらず初期化操作が行われていない場合、Ｓａ８の処理を実行することなく、再度異常処理（Ｓａ３）を実行する。
【００４７】
なお、本実施の形態においては、記憶異常が発生したときに（Ｓａ１でＹＥＳ）、初期化処理を行わせることなく、異常状態を報知させる異常処理（Ｓａ３）を行わせるようにしたが、これに限らず、記憶異常が発生したときには（Ｓａ１でＹＥＳ）、初期化処理を行わせるとともに、異常状態を報知させる異常処理（Ｓａ３）を行わせるようにしてもよい。
【００４８】
また、本実施の形態においては、記憶部４１ｂは、バックアップ用電源に接続されているため、通常の遊技機１の電源投入時（たとえば、営業開始時の遊技機１の電源投入など）においては記憶部４１ｂの記憶異常が発生しない。しかし、記憶部４１ｂがバックアップ用電源に接続されていないような場合は、通常の遊技機１の電源投入時においても、毎回記憶部４１ｂの記憶異常が発生し、識別情報の送信処理が行われることになる。
【００４９】
なお、本実施の形態においては、上記第１基板４０の起動処理（遊技機１の電源投入時）において、記憶異常が発生していると判断した場合に識別コマンドが送信される構成となっているが、遊技機１の電源がｏｎ状態である間にも、識別コマンドを送信させる処理を行わせるようにしてもよい。たとえば、一時間に一度、識別コマンドを送信させる処理を行わせてもよい。また、遊技機が有利状態に制御されるたびに、識別コマンドを送信させる処理を行わせてもよい。このようにすることで、たとえば、遊技機１の電源がｏｎ状態において識別情報が変化したような場合であっても、新たな識別情報を送信することができる。
【００５０】
［第２基板９０の記憶処理および表示処理］
図３は、第２基板９０に搭載された演算部９１ａが実行する記憶処理および表示処理の制御内容を示すフローチャートである。まず、図３（Ａ）のフローチャートに基づき、第２基板９０が実行する記憶処理について説明する。
【００５１】
演算部９１ａは、識別コマンドを受信しているか否かを判断する（Ｓｂ１）。演算部９１ａは、識別コマンドを受信していると判断した場合（Ｓｂ１でＹＥＳ）、Ｓｂ２のステップに進む。一方、演算部９１ａは、識別コマンドを受信していないと判断した場合（Ｓｂ１でＮＯ）、Ｓｂ５のステップに進む。
【００５２】
演算部９１ａは、記憶部９１ｂに識別情報が記憶されているか否かを判断する（Ｓｂ２）。演算部９１ａは、記憶部９１ｂに識別情報を記憶されていないと判断した場合（Ｓｂ２でＮＯ）、Ｓｂ４のステップに進む。演算部９１ａは、記憶部９１ｂに識別情報が記憶されていると判断した場合（Ｓｂ２でＹＥＳ）、Ｓｂ３のステップに進む。
【００５３】
演算部９１ａは、記憶部９１ｂに記憶されている識別情報と受信した識別情報とが一致するか否かを判断する（Ｓｂ３）。演算部９１ａは、記憶部９１ｂに記憶されている識別情報と受信した識別情報とが一致しないと判断した場合（Ｓｂ３でＮＯ）、Ｓｂ４のステップに進む。演算部９１ａは、記憶部９１ｂに記憶されている識別情報と受信した識別情報とが一致すると判断した場合（Ｓｂ３でＹＥＳ）、Ｓｂ５のステップに進む。
【００５４】
演算部９１ａは、受信した識別情報と受信日時を記憶部９１ｂに記憶させる処理を行い（Ｓｂ４）、Ｓｂ５のステップに進む。
【００５５】
演算部９１ａは、初期化操作コマンドを受信したか否かを判断する（Ｓｂ５）。演算部９１ａは、初期化操作コマンドを受信していないと判断した場合（Ｓｂ５でＮＯ）、記憶処理を終了する。一方、演算部９１ａは、初期化操作コマンドを受信していると判断した場合（Ｓｂ５でＹＥＳ）、初期化操作が行われた旨の情報と発生日時とを記憶部９１ｂに記憶させて（Ｓｂ６）、記憶処理を終了する。
【００５６】
このように、演算部９１ａは、第１基板４０から送信された識別コマンドなどのコマンドを受信し、受信したコマンドから特定可能な情報を、記憶部９１ｂに記憶させるとともに、液晶表示器５１に表示可能とする。
【００５７】
また、演算部９１ａは、記憶部９１ｂに識別情報を記憶していない状況において、識別コマンドを受信したときに、識別コマンドから特定可能な識別情報と、識別コマンドを受信した受信日時とを、記憶部９１ｂに記憶させる。また、演算部９１ａは、識別コマンドを受信したときに、受信した識別コマンドから特定可能な識別情報と記憶部９１ｂが既に記憶している識別情報とが一致しないとき、識別コマンドから特定可能な識別情報とコマンドを受信した前記受信日時とを記憶部９１ｂに記憶させる。
【００５８】
次に、図３（Ｂ）のフローチャートに基づき、演算部９１ａが実行する表示処理について説明する。
【００５９】
演算部９１ａは、表示条件が成立していると判断した場合（Ｓｃ１でＹＥＳ）、表示処理を実行する（Ｓｃ２）。演算部９１ａは、表示処理において、識別情報および識別情報の受信日時、初期化操作および初期化操作の発生日時、現在時刻などを液晶表示器５１に表示させる。Ｓｃ２のステップの終了後、演算部９１ａは、表示処理を終了する。
【００６０】
一方、演算部９１ａは、表示条件が成立していないと判断した場合（Ｓｃ１でＮＯ）、記憶処理を終了する。
【００６１】
［識別情報などの情報を表示する画面］
図４は、識別情報などの情報が表示された画面を示す図である。演算部９１ａは、初期化操作が行われた旨の情報と発生日時とを記憶部９１ｂに記憶させる。さらに、演算部９１ａは、識別情報と識別情報の受信日時に併せて、初期化操作が行われた旨の情報と発生日時を液晶表示器５１に表示させる。
【００６２】
ここで、「情報」の項目には、表示情報として、「識別情報受信」、「初期化操作」が表示される。「日時」の項目には、情報の項目に対応して、識別情報受信日時、初期化操作発生日時がそれぞれ表示される。
【００６３】
図４の例では、１番目に２０１７年５月１日の２０：００に識別情報「ＡＢＣ」が受信された旨が表示されている。たとえば、工場出荷後に遊技店に遊技機１を設置し、初めて遊技機１の電源を投入したような場合が想定される。上述したように、最初に電源を投入した場合は、記憶部４１ｂに情報が記憶されていないため記憶異常が発生し、記憶異常の発生により識別情報が送信される。なお、それ以降に電源を投入したとしても、記憶異常の発生などの識別コマンドの送信条件が成立していない限りは、識別情報は送信されない。
【００６４】
また、図４の例では、２番目に２０１７年５月１日の２０：０１に初期化操作がされた旨が表示されている。３番目に２０１７年５月２日の９：１１に初期化操作がされた旨が表示されている。４番目に２０１７年５月３日の９：１９に初期化操作がされた旨が表示されている。
【００６５】
識別情報および識別情報の受信日時と、初期化操作が行われた旨の情報および発生日時とは区別可能に表示される。たとえば、１番目に表示されている「識別情報受信（ＡＢＣ）」および「２０１７／５／１  ２０：００」の表示は背景色が灰色であるため、２番目に表示されている「初期化操作」および「２０１７／５／１  ２０：０１」の表示と区別可能である。
【００６６】
［主な効果］
本実施の形態においては、図２に示したように、演算部４１ａは、記憶異常が発生したとき、または初期化操作が行われたときに、第１基板に割り当てられた識別情報を特定可能な識別コマンドを第２基板に送信し、演算部９１ａは、識別コマンドに基づいて、識別コマンドから特定可能な識別情報と、識別コマンドを受信した受信日時とを記憶部９１ｂに記憶させる。また、図４に示したように、液晶表示器５１に識別情報「識別情報受信（ＡＢＣ）」と受信日時「２０１７／５／１  ２０：００」とが表示される。たとえば、不正な手段によって、第１基板４０が交換された場合、識別情報は変更される。このような場合に、遊技店の管理者などは、遊技機１において第１基板に割り当てられた固有の識別情報を適切に確認することができるとともに、当該識別情報がどの時点で送信されたものかを確認することができる。
【００６７】
図３に示したように、記憶部９１ｂが識別情報を記憶していない状況において、第２基板が識別コマンドを受信したときに、識別コマンドから特定可能な識別情報と、識別コマンドを受信した受信日時とが記憶部９１ｂに記憶され、表示条件が成立したときに、当該識別情報と受信日時とが液晶表示器５１に表示されるため、遊技店の管理者などは、遊技機１において第１基板に割り当てられた固有の識別情報を適切に確認することができる。
【００６８】
図３（Ａ）に示したように、第２基板が識別コマンドを受信したときに、識別コマンドから特定可能な識別情報と記憶部９１ｂに既に記憶している識別情報とが一致しない状況において、当該識別情報と受信日時とが記憶部９１ｂに記憶される。このように、第１基板に割り当てられた情報である識別情報が一致しないことにより、遊技店の管理者などは、第１基板４０が交換された可能性があることを知ることができる。
【００６９】
図４に示したように、識別情報は、第１基板に設置された演算部４１ａに割り当てられた演算部４１ａ固有の情報であるため、演算部４１ａが交換された可能性があることを知ることができる。
【００７０】
図２に示したように、記憶部４１ｂに記憶された情報が正常にバックアップされていないとき、識別コマンドが第２基板に送信される。たとえば、第１基板が工場出荷後初めて起動される場合は、記憶部４１ｂに情報がバックアップされていない（記憶部４１ｂに情報が格納されていない）ため、第１基板による制御が開始された時点での識別情報を確認することができる。
【００７１】
図４に示したように、初期化操作が行われた旨の情報と発生日時とが記憶部９１ｂに記憶され、液晶表示器５１に識別情報「識別情報受信（ＡＢＣ）」および受信日時「２０１７／５／１  ２０：００」が表示されるとともに、初期化操作が行われた旨の情報「初期化操作」および発生日時「２０１７／５／１  ２０：０１」が表示されるため、初期化操作の発生履歴と併せて、識別情報の受信に関する情報を確認することができる。
【００７２】
図４に示したように、識別情報「識別情報受信（ＡＢＣ）」および受信日時「２０１７／５／１  ２０：００」の表示は背景色が灰色であるため、液晶表示器５１に初期化操作が行われた旨の情報「初期化操作」および発生日時「２０１７／５／１  ２０：０１」の表示と区別可能であり、識別情報とその受信日時を適切に確認することができる。
【００７３】
図２に示したように、遊技機１の電源投入時に記憶部４１ｂに記憶された情報に記憶異常が発生していることが検出された場合、初期化スイッチ３７をｏｎ状態にして遊技機１の電源を投入されていたとしても初期化処理が実行されず、異常処理を行う。このようすることで、異常処理において確実に記憶異常エラーを報知することができる。
【００７４】
［変形例］
以上、本発明における主な実施の形態を説明してきたが、本発明は、上記の実施の形態に限られず、種々の変形、応用が可能である。以下、本発明に適用可能な上記の実施の形態の変形例について説明する。
【００７５】
［遊技機について］
上述した遊技機１は、各々が識別可能な複数種類の識別情報を変動表示可能な可変表示部を複数備え、可変表示部を変動表示した後、可変表示部の変動表示を停止することで表示結果を導出し、複数の可変表示部の表示結果の組合せである表示結果組合せに応じて入賞が発生可能なスロットマシンであってもよい。上述した遊技機１は、各々が識別可能な複数種類の識別情報の変動表示の結果に応じて、遊技者にとって有利な大当り遊技状態に制御可能なパチンコ遊技機であってもよい。
【００７６】
［設定変更状態について］
本実施の形態においては、図２に示したように、初期化操作を行ったとき（Ｓａ１でＹＥＳ）に、初期化処理が実行される（Ｓａ５）ようにした。しかし、これに限らず、初期化操作を行ったとき（初期化スイッチ３７をｏｎ状態としてから遊技機１の電源をｏｎしたとき、図２のＳａ１のＹＥＳ）に、初期化処理が実行される（Ｓａ５）とともに、有利度を変更可能な設定変更状態に移行させるようにしてもよい。ここで、設定変更状態とは、遊技機における遊技用価値の付与率に関わる設定値が変更可能な状態である。
【００７７】
また、遊技状態には、通常状態および有利状態が含まれる。通常状態は、たとえば、遊技機の設計として、遊技用価値の増加が望めない状態、または遊技の滞在率が有利状態よりも多い状態である。有利状態は、通常状態よりも遊技者にとって有利な状態である。有利状態は、たとえば、通常状態よりも遊技者の手持ちの遊技用価値が増えやすい状態、通常状態よりも遊技者の手持ちの遊技用価値が減りにくい状態、または通常状態よりも遊技者の手持ちの遊技用価値が増えやすい状態に移行しやすい状態である。なお、有利状態は、通常状態よりも遊技者にとって有利な状態であれば、いずれの状態であってもよい。
【００７８】
設定変更状態に制御可能とした場合は、図２のフローチャートにおいて、初期化処理を実行した（Ｓａ５）後に、設定変更状態への移行処理を行うようにする。所定の操作により設定値を変更した後、設定変更状態を終了し、Ｓａ６のステップに進む。
【００７９】
このようにした場合、遊技機１の電源投入時に記憶部４１ｂに記憶された情報に記憶異常が発生していることを検出したとき、初期化スイッチ３７をｏｎ状態にして遊技機１の電源を投入されていたとしても設定変更状態に制御されない。図２のフローチャートにおいて、遊技機１の電源投入時に記憶異常が発生していた場合（Ｓａ１でＹＥＳ）は、識別コマンド送信処理を実行し（Ｓａ２）、異常処理（Ｓａ３）を行うが、Ｓａ４のＹＥＳのステップに進まないからである。
【００８０】
なお、この場合において、再度初期化スイッチ３７をｏｎ状態にして遊技機１の電源を投入した場合は、初期設定状態に移行する。上述したように、記憶異常報知フラグがＯＮであるため、Ｓａ１のステップにおいてＹＥＳとなり、初期化操作がされている（初期化スイッチ３７をｏｎ状態になっている）ためＳａ４のステップでＹＥＳとなる。このため、次のＳａ５の初期化処理が実行された後に、設定変更状態へ移行することになる。
【００８１】
このように、遊技機１の電源投入時に記憶部４１ｂに記憶された情報に記憶異常が発生していることが検出された場合、初期化スイッチ３７をｏｎ状態にして遊技機１の電源を投入されていたとしても設定変更状態に制御されず、異常処理を行う。このようすることで、異常処理において確実に記憶異常エラーを報知することができる。
【００８２】
なお、記憶異常が発生している状態で、初期化スイッチ３７をｏｎ状態にして遊技機１の電源を投入したときであっても、設定変更状態に移行するようにしてもよい。
【００８３】
［コマンドについて］
本実施の形態においては、図２に示したように、記憶異常が発生した場合と、初期化操作がされた場合とにおいて、識別コマンドを送信し、それ以外の場合には識別コマンドを送信しないようにしている。しかし、識別コマンドの送信条件はこれに限らない。たとえば、遊技機１の電源が投入されたときには常に識別コマンドを送信するようにしてもよい。すなわち、Ｓａ４でＮＯであったときも、識別コマンド送信処理を実行するようにしてもよい。
【００８４】
この場合において、たとえば、不正な手段によって演算部４１ａが交換され、演算部４１ａの識別情報が「ＡＢＣ」から「ＤＥＦ」に変更されたとする。そして、遊技機１の電源が投入された場合、識別コマンドが送信される。受信した識別コマンド（ＤＥＦ）は、記憶部９１ｂに記憶されている識別情報（ＡＢＣ）と一致しないため（Ｓｂ３でＮＯ）、識別情報と識別情報の受信日時が記憶部９１ｂに記憶されるとともに、液晶表示器５１に表示可能になる。図４に示した状態を例にすれば、５番目に「識別情報受信（ＤＥＦ）」と受信日時が表示されることになる。
【００８５】
識別情報が変更されず、「ＡＢＣ」のままである場合（Ｓｂ３でＹＥＳ）は、記憶部９１ｂへの記憶および液晶表示器５１への表示がされることはない。ただし、記憶部９１ｂの記憶異常が発生するなどして識別情報が消去されてしまったような場合（Ｓｂ２でＮＯ）は、新たに受信した識別情報「ＡＢＣ」は、記憶部９１ｂに記憶されるとともに、液晶表示器５１に表示可能となる。
【００８６】
また、本実施の形態においては、初期化操作が行われた旨の情報と、初期化操作が行われた日時が記憶部９１ｂに記憶されるとともに液晶表示器５１に表示されるようにしたが、これに限らず、初期化操作が行われた旨の情報と、第２基板９０が初期化操作コマンドを受信した受信日時が、記憶部９１ｂに記憶されるとともに液晶表示器５１に表示されるようにしてもよい。
【００８７】
また、本実施の形態において、図２に示したように、初期化操作があったときに、演算部４１ａは初期化操作コマンドを送信するようにしたが、これに限らず、演算部４１ａは動作試験実施コマンドを送信するようにしてもよい。ここで、動作試験実施コマンドとは、遊技機の動作確認をする試験を実施したときに送信されるコマンドである。演算部９１ａは、動作試験実施コマンドを受信した場合には、記憶部９１ｂに動作確認をする試験を実施した旨の情報と発生日時を記憶させるようにしてもよい。また、演算部９１ａは、動作確認をする試験を実施した旨の情報と発生日時は、液晶表示器５１に表示させるようにしてもよい。
【００８８】
［識別情報などの表示について］
本実施の形態においては、識別情報および識別情報の受信日時と、初期化操作が行われた旨の情報および発生日時とを、背景色を異ならせることで区別して表示するようにしたが、これに限らず、表示させる文字の大きさや文字の太さを異ならせることで区別して表示するようにしてもよい。
【００８９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９０】
４０  第１基板、４１ａ  演算部、４１ｂ  記憶部、９０  第２基板、９１ａ  演算部、９１ｂ  記憶部、５１  液晶表示器、３７  初期化スイッチ。
【図１】
2018196494.tif 000003
【図２】
2018196494.tif 000004
【図３】
2018196494.tif 000005
【図４】
2018196494.tif 000006